(57)【要約】      （修正有）【課題】鼻の両脇に当ててフロント部を支える鼻当てパットを備えないメガネフレームを提供する。【解決手段】レンズが嵌る両方のリム４が連結部５を介して繋がっているフロント部１の両側に継手３を介して折畳み出来るようにツル２を取付けたメガネフレームにおいて、ツルの内側面にはメガネを掛けた際に顔のコメカミ部分に当接するパット７を取付け、そして、連結部には鼻当てパットを取付けた脚体が係合することが出来る溝を形成した。【選択図】図１
2015219262.tif 000002
【特許請求の範囲】
【請求項１】
レンズが嵌る両リムが連結部を介して繋がっているフロント部の両側に継手を介して折畳み出来るようにツルを取付けたメガネフレームにおいて、上記ツルの内側面にはメガネを掛けた際に顔のコメカミ部分に当接するパットを取付け、そして、上記連結部には鼻当てパットを取付けた脚体が係合することが出来る溝を形成したことを特徴とするメガネフレーム。
【請求項２】
レンズが嵌る両リムが連結部を介して繋がっているフロント部の両側に継手を介して折畳み出来るようにツルを取付けたメガネフレームにおいて、上記ツルの内側面にはメガネを掛けた際に顔のコメカミ部分に当接するパットを取付け、そして、上記連結部には溝を形成し、鼻当てパットを取付けた脚体が該溝に係合すると共に取外し出来るように取付けたことを特徴とするメガネフレーム。
【請求項３】
ツルの内側面に複数の嵌合穴を設け、この嵌合穴にパットの嵌合部を嵌めて取付けた請求項１、又は請求項２記載のメガネフレーム。
【発明の詳細な説明】
【技術分野】
【０００１】
本発明はフロント部を支える鼻当てパットを着脱可能にすると共に、ツル又はヨロイにパットを取付け、該パットを頬骨に当ててフロント部を支持することが出来るメガネフレームに関するものである。
【背景技術】
【０００２】
図７は従来の一般的なメガネフレームを示している。メガネフレームはフロント部（イ）と２本のツル（ロ）、（ロ）から成り、ツル（ロ）、（ロ）はフロント部（イ）の両側に設けているヨロイ（ハ）、（ハ）に蝶番（ニ）、（ニ）などの継手を介して折畳み出来るように取付けられている。フロント部（イ）は連結部材（ホ）の両側にリム（ヘ）、（ヘ）が設けられ、リム（ヘ）、（ヘ）の外側には上記ヨロイ（ハ）、（ハ）をロウ付けしている。そして、リムの内側(中央側)には鼻当てパット（ト）、（ト）が取付けられている。
【０００３】
ところで、メガネを顔に掛ける場合には、鼻当てパット（ト）、（ト）を鼻の両脇に当てると共に、ツル（ロ）、（ロ）の先端部に挿着しているモダン(図示なし)が耳に係止される。鼻当てパット（ト）、（ト）を介してフロント部（イ）は鼻で支えられるが、長時間にわたってメガネを着用しているならば、鼻当てパット（ト）、（ト）が当っている鼻の両脇が赤く変色し、化粧が剥がれる。従って、メガネを外した際には化粧が剥がれて赤くなった鼻両脇が目立ち、特に若い女性にとっては大きな問題となる。
【０００４】
近年のメガネフレームはバネ製に優れた軽い材質としてチタン材が多用され、又レンズもプラスチックレンズが用いられることで、フロント部が非常に軽くなっている。ステンレス材を使用したメガネフレームにガラスレンズを嵌めた昔のメガネに比較すれば非常に軽い。しかし、鼻当てパットにてフロント部を支えることは必要であり、その為に鼻両脇の化粧の剥がれ落ちを避けることは出来ない。  鼻当てパットの材質を軟らかいシリコン樹脂で構成している場合もあるが、赤い変色や化粧の剥がれを完全に防止することは出来ない。
【０００５】
従来、ツルの内側にパットを取付け、該パットを顔のコメカミ部分に当てることでフロント部を支えるように構成したメガネフレームが知られている。しかし、ツルの内側に取付けたパットをコメカミ部分に押し当てても、滑り落ちる為にフロント部を完全に支持することは出来ない。
【０００６】
特開２００８−２０６７８号に係る「メガネフレーム」は、鼻の両脇に当ててフロント部を支える鼻当てパットを備えないメガネフレームであり、ツルからアームを斜め下方へ延ばし、該アーム先端にはパットを取付け、該パットが顔の頬骨に当ってフロント部を支えるようにしている。そして、パットはその向きを変えることが出来る構造としている為に、頬骨の位置や形状に違いがあってもパットはフィットできる構造となっている。
【特許文献１】特開２００８−２０６７８号に係る「メガネフレーム」
【発明の開示】
【発明が解決しようとする課題】
【０００７】
このように、フロント部に鼻当てパットを取付けたメガネフレームには上記のごとき問題がある。本発明が解決しようとする課題はこの問題点であり、ツルに取付けたパットを顔のコメカミ部分の当てることでフロント部を支持し、しかし必要に応じてフロント部に鼻当てパットを取付けることが出来るメガネフレームを提供する。
【課題を解決するための手段】
【０００８】
本発明に係るメガネフレームは、フロント部に備わっている鼻当てパットを着脱可能としており、そしてツル又はヨロイにはパットを取付けている。該パットはコメカミ部分に当ってフロント部を支える為にツルのフロント部側に取付けられ、しかもパットはヨロイ又はツルの長手方向に対してその位置を変えることが出来るように取付けている。すなわち、パットの位置を変更することでフロント部を安定して支えることが出来る構造と成っている。ここで、パットの材質及びその形状は問わないことにする。
【０００９】
一方、フロント部の背面側中央には鼻当てパットが備わっているが、必要に応じて取り外し可能な取付け構造としている。具体的な着脱構造は問わないが、概略山形をした脚体の先端に鼻当てパットを取付けている。脚体はバネ性に優れた線材で構成し、フロント部の中央連結部に形成した溝にバネ力を付勢して脚体が係合するように構成することが出来る。
【発明の効果】
【００１０】
本発明に係るメガネフレームは、ツル又はヨロイに取付けたパットが顔のコメカミ部分に当ってフロント部が支えられる。従って、従来のメガネフレームのように鼻当てパットが当って鼻の両脇が赤く変色することがなく、又鼻の両脇の化粧が剥がれることもない。そして、パットはツルに沿って移動することで最も適した位置に配置され、フロント部は安定して保持される。
【００１１】
また、従来の鼻の両脇に鼻当てパットを当てて支持する構造に比較して、ツルに取付けた両パット間距離は大きく離れていることから、コメカミ部分に作用する負担は小さく感じられ、長時間にわたってメガネを着用しても疲れが少なく、痛みを感じることはない。
そして、フロント部の中央連結部には溝が設けられている為に、この溝を利用して鼻当てパットを取付け出来る。すなわち、ツルに取付けたパットだけでは安定しない場合、鼻当てパットをフロント部に取付けて、該鼻当てパットとパットの両者でメガネフレームを安定して着用することが出来る。
【図面の簡単な説明】
【００１２】
【図１】本発明に係るメガネフレームで、（ａ）は平面図、（ｂ）は正面図。
【図２】本発明に係るメガネフレームの側面図。
【図３】ツルの内側面に設けた嵌合穴に嵌って取付けるパットの具体例。
【図４】フロント部の中央背面に鼻当てパットを取付けた場合。
【図５】鼻当てパットを取付けた脚体の具体例。
【図６】フロント部の中央背面に鼻当てパットを取付ける操作。
【図７】鼻当てパットを備えた従来のメガネフレーム。
【発明を実施するための形態】
【００１３】
図１、図２は本発明に係るメガネフレームを示す実施例で、図１（ａ）は平面図、図１（ｂ）は正面図、図２は側面図をそれぞれ表している。同図の１はフロント部、２はツルを示し、ツル２，２はフロント部１の両側に継手３，３を介して折畳み出来るように取付けられている。同図に示すメガネフレームは樹脂製であり、その為にレンズが嵌る両リム４，４は連結部５を介して繋がれている。
【００１４】
リム４，４の外側にはヨロイ部６，６が形成され、このヨロイ部６，６にツル２，２が継手３，３を介して折畳み出来るように連結している。
ツル２も樹脂製であるが、パット７が取付けられ内側へ突出している。ツル２の内側面には嵌合穴８が設けられ、この嵌合穴８はパットに設けた嵌合部９が嵌って取付けられる。嵌合穴８，８・・・はツル２の長手方向に所定の間隔をおいて３か所に形成され、それぞれの嵌合穴８，８・・・に嵌って取付けることが出来る。
【００１５】
ここで、上記嵌合部９は嵌合穴８にガタ付くことなく嵌ることが出来るようにスリット１０，１０・・・を入れた筒状とするならば、各嵌合片１１，１１・・・が撓み変形して嵌合穴８に嵌り、パット７はガタ付くことなく安定して取付けられる。図３は上記パット７を示す具体例である。パット７は肌当たりを良くする為にシリコンなどの軟質樹脂とすることも出来るが、硬質樹脂としてもよい。そして、嵌合部９は同図に示すように、所々にスリット１０，１０・・・を設けることで各嵌合片１１，１１・・・は撓み変形して嵌合穴８に隙間なく嵌ることが出来る。
【００１６】
同図に示す実施例では、ツル２の内側面３か所に嵌合穴８，８・・・を設け、適当な嵌合穴８にパット７を取付け出来る構造としている。しかし、ツル２の内側長手方向に細長いガイド溝を設け、このガイド溝に嵌合部を嵌めてスライド出来るように取付け、所定の位置で止着する構造とすることも可能である。
【００１７】
ところで、メガネの基本的な掛け方は従来と同じであるが、本発明に係るメガネフレームのフロント部１はツル２，２に取付けたパット３，３を顔の頬骨やコメカミ部分に当てて支持し、ツル先端部は耳に掛けられる。頬骨は顔の側面から多少突出していることから、パット３，３はコメカミ部分に当たることで頬骨に載ることが出来る。そして、該パット３，３の位置を調整して最も適した位置に配置するならばフロント部１を安定して支持することが出来る。
【００１８】
所定の距離を隔てた顔の両側に位置しているコメカミ部分に各ツル２，２に取付けられたパット３，３が当ることで、互いに近接した位置に当る従来の鼻当てパットに比較して楽であり、フロント部１は軽く感じる。そして、鼻当てパットが無いことで、鼻の両脇が赤く変色することがなく、又鼻の両脇の化粧が剥がれることもない。
【００１９】
ところで、本発明に係るメガネフレームはフロント部１に鼻当てパットを備えない形態であるが、必要に応じて鼻当てパットを取付けることが出来るように構成している。例えば、軽い運動をする際にはツル２に取付けたパット７だけでは着用したメガネが安定しないためにフロント部１に鼻当てパットを取付けることが出来る。
【００２０】
図４はフロント部１の中央部背面に鼻当てパット１２を取付けた場合を示している。フロント部１の中央連結部５の下縁１３に沿って細い溝を設け、この溝に概略山形を形成した脚体１６の上部連結部位１５を係合している。図５は脚体１６の両脚１４，１４に鼻当てパット１２，１２を取付けた場合であり、両脚１４，１４は山形に湾曲した連結部位１５にて繋がれている。すなわち、脚体１３はバネ性のあるワイヤーにて構成しており、この連結部位１５がフロント部１の連結部５の下縁１３に形成した溝に係合して取付けられる。
【００２１】
上記図５に示す脚体１６は脚１４，１４と連結部位１５とは水平部位１７，１７を介して繋がってる、従って、山形に湾曲した連結部位１５が下縁１３に形成した溝に嵌り、水平部位１７，１７は溝からフロント部１の背面側へ延び、脚１４，１４はフロント部１の背面との間に所定の空間をおいて配置され、脚先端に鼻当てパット１２，１２を取付けている。
【００２２】
図６は鼻当てパット１２，１２をフロント部１に取付ける操作を表しているが、両鼻当てパット１２，１２を親指と人差し指で挟むならば、鼻当てパット１２，１２の間隔は縮んで連結部位１５は湾曲する。この状態で連結部５の下縁１３に形成した溝に該連結部位１５を嵌めることが出来る。溝に嵌ったところで両鼻当てパット１２，１２から指を離すならば、湾曲した連結部位１５は元に戻って該溝に係合して、外れないように止着される。
【００２３】
以上説明したメガネフレームは樹脂製フレームとした場合であるが、金属製のフレームの場合も同じように構成することが出来る。金属製のツルは細い為にパットを取付ける為に嵌合穴を設けることが出来ない場合には、止着金具（例えば、ネジ）を介して取付けることが出来る。
【符号の説明】
【００２４】
１  フロント部
２  ツル
３  パット
４  リム
５  連結部
６  ヨロイ部
７  パット
８  嵌合穴
９  嵌合部
10  スリット
11  嵌合片
12  鼻当てパット
13  下縁
14  脚
15  連結部位
16  脚体
17  水平部位
【図１】
2015219262.tif 000003
【図２】
2015219262.tif 000004
【図３】
2015219262.tif 000005
【図４】
2015219262.tif 000006
【図５】
2015219262.tif 000007
【図６】
2015219262.tif 000008
【図７】
2015219262.tif 000009